(57)【特許請求の範囲】
【請求項１】
構造物と構造物の間に設けられた伸縮目地の内側に設置されるカバー材支持機構のブラケット上で支持される目地カバー材であって、
当該目地カバー材は、並列した複数の棒状部材が線状部材を介して接続されて、全体が伸縮目地の長さ方向に沿って長尺な板状に形成されているとともに、その周辺部のうちの一の側辺側から対向する他方の側辺側に亘って巻き畳めるように形成されていることを特徴とする目地カバー材。
【請求項２】
棒状部材間にスペーサが配置された構成を有することを特徴とする請求項１に記載の目地カバー材。
【請求項３】
棒状部材が中空な管材である請求項１又は２に記載の目地カバー材。
【請求項４】
構造物と構造物の間に設けられた伸縮目地の内側に設置されるカバー材支持機構のブラケット上で支持される目地カバー材であって一側の側辺部を前記一側の構造物の側に接続して設置される目地カバー材において、
当該目地カバー材は、可撓性材料を用いて形成されており、カバー材長さ方向に沿って延びた凹部又は凸部を、カバー材幅方向に沿って連続又は断続的に配置して形成されているとともに、一方の長手側辺側から他方の長手側辺側に亘って巻き畳めるように形成されていることを特徴とする目地カバー材。
【請求項５】
目地カバー材の幅方向に沿った断面が波形である請求項４に記載の目地カバー材。
【請求項６】
伸縮目地長さ方向に沿って複数の目地カバー材を並設して全体が長尺に構成された請求項１から５の何れかに記載の目地カバー材。
【請求項７】
請求項１から６の何れかに記載の目地カバー材と、構造物と構造物の間に設けられた伸縮目地の内側に設置されて前記目地カバー材を伸縮目地内で水平に支持するカバー材支持機構からなる床用伸縮目地装置であって、
前記カバー材支持機構が、
伸縮目地内に臨ませた先端部同士が鉛直軸周りに回転自在に接続されていて、後端部が前記一側の構造物に鉛直軸周りに回転自在に取り付けられた第１のブラケットと、後端部が前記一側の構造物に、鉛直軸周りに回転自在にかつ伸縮目地の長さ方向に沿ってスライド変位自在に取り付けられた第２のブラケットと、前記先端部を頂点として略Ｖ字形に組まれた両ブラケット間に取り付けられた弾性部材とを備えて、平常時は前記両ブラケットの先端部が前記伸縮目地内にせり出した位置に保持されるように設けられ、
一側の側辺部を前記一側の構造物の側に接続した前記目地カバー材を、前記第１、第２のブラケット上で支持するように構成されていることを特徴とする床用伸縮目地装置。
【請求項８】
第１、第２のブラケットの先端部同士の接続部の上部側端に、当該側端に沿って目地カバー材の下面が摺動したときに生ずる衝撃を緩和する緩衝部材が設けられた構成を有することを特徴とする請求項７に記載の床用伸縮目地装置。
【請求項９】
緩衝部材は、水平軸周りに回転する回転部材である請求項８に記載の床用伸縮目地装置。
【請求項１０】
第１、第２のブラケットは、ともに上下平行に並べた上側横桟と下側横桟の間に縦桟を配置して形成された枠体であることを特徴とする請求項７から９の何れかに記載の床用伸縮目地装置。
【発明の詳細な説明】
【技術分野】
【０００１】
本発明は、地震発生時などに構造物に加わる外力を吸収するために構造物と構造物の間に設けられた隙間に設置される、床用伸縮目地装置に関する。
【背景技術】
【０００２】
免震構造の建物は、建物と基礎を切り離した離隔（免震層）を設け、そこに免震装置を設置して、地震力を建物に伝わりにくくしている。
このような免震構造の建物では、建物の外周に沿った離隔（以下、「伸縮目地」ともいう。）を犬走り床で塞ぐ構造としたり、一側を建物側に固定し、他側に離隔を跨いで地盤側へと架け渡した床カバー材を設け、地震発生時に建物の揺れに追従して幅が広がったり狭まったりする離隔に対し、床カバー材がその前記他側の端部が地盤上を摺動して、離隔上面を覆ったまま相対変位することで離隔を塞ぐ構造としたりしている。
【０００３】
免震建物は、地震の際に免震装置が変形して、激しい揺れをゆっくりとした揺れに変えることで、地震による揺れが建物にそのまま伝わらないように設計され、建物外周の離隔は、免震装置上でゆっくりと揺れる建物が周囲の構造物と干渉しないだけの十分な幅を確保して形成される。
地震で幅が広がったときの離隔を塞ぐ大きさに前記犬走り床や床カバー材が設けられていれば、免震建物が大きく揺れても離隔上面を確実に塞ぐことが可能である。
しかし、免震建物に隣接した構造物の配置によっては、離隔の幅が狭まったときに犬走り床の端部や、前記隣接した構造物の側の地盤上に乗り上げた床カバー材の端部が構造物に衝突することを避けるため、犬走り床の幅や床カバー材の端部の地盤上面への乗り代を小さく設定しなければならないことがある。そのような場合、離隔の幅が大きく広がったときに、犬走り床の端部や床カバー材の端部間に、離隔に繋がる隙間ができないようにするための方策を講じる必要があり、隣接した構造物との関係から離隔を覆う犬走り床や床カバー材の設計が難しいという問題があった。
【０００４】
このような問題に対応するべく、前記犬走り床の端部、或いは乗り代に載る床カバー材の端部の下側に目地カバー材を設置し、目地の幅が大きく広がったときに、犬走り床の端部や床カバー材の端部間に生じる隙間が目地カバー材により塞がれるようにした床用目地装置が知られている（例えば特許文献１参照）。
また、目地の長さ方向に沿って長尺に形成された複数の分割カバー板同士を、分割カバー板の両側部にそれぞれ設けた断面円形の嵌合凸条と包持溝を互いに連結することで、目地カバー材を板状に形成するとともに、この目地カバー材の下側を一側の構造物に回動自在に取り付けられたブラケット（回動支持部材）で支持し、目地の幅が狭まったときに、前記ブラケットが前記一側の構造物の側に回転して目地カバー材を支持する長さを狭めるのに連動して、目地カバー材の先端部側の分割カバー板がブラケットの先端から下方へ折れて垂れ下がることで目地カバー材の幅が狭くなる構造の床用目地装置が知られている（例えば特許文献２参照）。
【先行技術文献】
【特許文献】
【０００５】
【特許文献１】特開２０１２−６２７１９号公報
【特許文献２】特開２０１０−１４４３５７号公報
【発明の概要】
【発明が解決しようとする課題】
【０００６】
地震で目地の幅が広がったり狭まったりしても、歩行者が目地に落ちたり足をとられて転んだりする危険のないようにするため、床用目地装置を定期的に保守点検しメンテナンスすることは不可欠である。
前記従来の床用目地装置にあっては、目地カバー材を支持するブラケットを保守点検するときには、ブラケット上を広く開放させた状態にするため、目地カバー材を目地から取り外す必要があった。点検後は目地カバー材を再び目地内に取り付けなければならず、保守点検作業は著しく手間がかかるものとならざるを得なかった。
前記従来の伸縮目地装置のうち、後者のものは、目地カバー材を構成する分割カバー板同士が上下方向に回動可能に連結されてはいるが、回動領域が小さく、目地カバー材の全体を巻き畳めるようには形成されていない。このものは、伸縮目地装置のメンテナンス性を考慮して作られたものではない。
【０００７】
また、前記床用目地装置は、構造物と構造物の間に設けられた伸縮目地内に、矩形板状のブラケットを、その一側の長手辺端部を伸縮目地に面した構造物の壁面に、鉛直方向周りに回転自在に取り付け、伸縮目地内に張り出した短手辺の上面で目地カバー材の下面を支持するように構成されたものであるが、板状のブラケットが片持ち式に取り付けられているため、ブラケット上に目地カバー材が載って支持した状態で、ブラケットの特に取り付け部に大きな荷重がかかることになる。
そのため、耐荷重を確保するべく、ブラケットを含む装置の構成部材のサイズが大型となり、また、補強のための部材が必要となって構造が複雑となり、全体をコンパクトに収めることができないので、伸縮目地の幅によっては設置することが困難となる場合があった。
【０００８】
さらに、ブラケットが片持ち式であるため、地震発生時に伸縮目地が狭まる方向に構造物が変位して伸縮目地内で構造物の壁面にブラケットの先端が当接したときに、構造物の変動の向きによっては、ブラケットの先端部と壁面との接触が円滑に行われず、そのため、ブラケットの水平方向の可動、つまり前記取り付け部における鉛直方向に沿った軸周りの回転が不完全となり、構造物の壁面から加わる力によってブラケットの破損や変形が発生する虞があった。
【０００９】
ブラケットが片持ち式の装置は、装置構成が大型となり、施工が煩雑となる問題もある。
すなわち、図１４に示されるように、片持ち式のブラケット１００を、その元端部を伸縮目地に面した一側の躯体に取り付けられた支持部材１０１に鉛直軸回りに回転自在に取り付けるとともに、その先端部と支持部材１０１の間に引張バネ１０２を取り付けて構成した場合、平常時に長さＧｐである引張バネ１０２は、地震発生によって伸縮目地が狭まることに連動してブラケット１００が回動して前記躯体と略平行になるまで倒れると、引張バネ１０２は長さＧａまで伸長するが、このブラケット可動時の引張バネ１０２の伸び率は１．１倍から１．１５倍程度に過ぎない（Ｇａ≒１．１×Ｇｐ〜１．１５×Ｇｐ）。
ブラケット可動時に、その元端部を支点として８０°程度回転して躯体と平行に倒れたブラケット１００を、平常時の元の位置まで復元回転させるには、引張バネ１０２の大きな復元力が必要となるが、最大伸長時の伸び率が前記の範囲に過ぎない場合、平常時の当初から相当に大きな引っ張り強度を引張バネ１０２に与えておくことが必要不可欠である。
そのため、利用できる引張バネ１０２が、バネ径が大きく、引っ張り強度が大きな大型のものに限定されるとともに、施工時の取り付け及び調整にも相当な労力が必要にならざるを得なかった。
【００１０】
また、ブラケットはその上面が目地カバー材の下面に接して目地カバー材を支持するように設けられているが、支持部位の接触面積は小さく、目地カバー材を局所的に支持しているので、目地カバー材にその自重による撓みが部分的に生じることがある。このような撓みが生じないようにするには、目地カバー材自体を補強し、堅牢な構造とする必要があり、そうすることで自重が増加した目地カバー材を支持することができるように、結局、ブラケットを含む装置の構成部材のサイズが大型化することは避けられず、装置のコンパクト化が図れないという問題もあった。
【００１１】
本発明は従来技術の有するこのような問題点に鑑み、構造物間の伸縮目地を覆う床カバー材の下側に設置される床用伸縮目地装置において、隣地境界や隣接建物が近接した狭小な幅の目地に設置可能なコンパクトな構成を実現するとともに、伸縮目地の幅を狭める方向への変位に連動して装置全体が同方向にスムーズに折り畳まれるように構成し、地震が発生した際に伸縮目地上を通る歩行者の安全が確保されるようにすることを課題とする。また、本発明は、床用目地装置の保守点検を、手間をかけずに確実且つ容易に行えるようにすることを課題とする。
【課題を解決するための手段】
【００１２】
前記課題を解決するため本発明は、構造物と構造物の間に設けられた伸縮目地の内側に設置される床用伸縮目地装置（以下、「目地装置」ともいう。）の目地カバー材であって、
当該目地カバー材は全体が伸縮目地の長さ方向に沿って長尺に構成されているとともに、その周辺部のうちの一の側辺側から対向する他方の側辺側に亘って巻き畳めるように形成されていることを特徴とする。
【００１３】
これによれば、目地カバー材が巻き畳めるように形成されているので、目地装置に目地カバー材を設置したままで全体を巻き畳んで仮止めしておくことで、当該装置の上方が開放状態となり、その状態で装置の保守点検を確実に行うことができる。目地カバー材を取り外したり、取り外した状態から再取り付けしたりする手間が不要となるので、目地装置の保守点検作業を迅速に行うことが可能である。
また、目地カバー材は巻き畳んだ状態で取り扱いが可能なので、狭小スペース内の作業で迅速且つ簡単に取り付けることが可能であり、目地カバー材を巻き畳んで状態で、設置スペースをとらずに保管や運搬が可能である。
【００１４】
前記構成の目地カバー材は、目地カバー材が露出して歩行床面を形成した際に、複数人が載っても変形を来すことなく、安全に歩行することができる剛性が確保される範囲で適宜な形状に設けることができる。歩行に支障を来たさず且つ安全であれば、伸縮目地を塞ぐ、平面視矩形状、或いは長円形状その他適宜な平面視形状に設けることができる。
【００１５】
目地カバー材の一例として、並列した複数の棒状部材が線状部材を介して接続されて板状に形成された形態のものを挙げることができる。
また、目地カバー材は、棒状部材間にスペーサを配置した構成とし、棒状部材同士がスペーサを挟んで接続されて板状に形成された形態のものを挙げることができる。
スペーサは、目地カバー材が巻き畳まれる際に、隣接する棒状部材同士が緩衝して巻き畳む操作に支障を生じること防ぐ機能を奏する部材をいい、その形状や大きさは問わない。スペーサは、並列した複数の棒状部材の、各隣接棒状部材間の全部に配置しても、複数部に部分的に、或いは一部の棒状部材間のみに配置してもよい。
また、線状部材を用いた棒状部材同士、棒状部材とスペーサ同士の接続は、棒状部材やスペーサの外周面に線状部材を巻き付け、且つこれを離脱不能に締結して接続したり、線状部材やスペーサの内部に線状部材を串刺し状に貫通させ、且つこれを両側で留め付けて接続したりして行うことができるが、これに限定されない。
この場合、棒状部材として中空な管材を用いることで、目地カバー材の軽量化が可能となる。管材は、剛性が確保可能であれば、鋼製、合成樹脂製の何れでもよい。
【００１６】
目地カバー材は、薄肉の鋼材や合成樹脂材などの可撓性を有する材料を用いて形成されていてもよい。例えば、剛性確保のため、目地カバー材を、その長さ方向に沿って延びた凹部又は凸部を、カバー材幅方向に沿って連続又は断続的に配置して形成された形態のものや、目地カバー材の幅方向に沿った断面が波形である形態のものでもよい。
【００１７】
また、目地カバー材は、伸縮目地長さ方向に沿って、当該目地長さ方向に沿った幅を短く設定して巻き畳み可能に形成された目地カバー材を複数並設し、これら複数の目地カバー材全体で、長尺な目地カバー材が構成されるように設けられていてもよい。換言すれば、目地カバー材は、その長さ方向に沿って複数のカバー材に分割される構造のものでもよい。
【００１８】
また、本発明は、構造物と構造物の間に設けられた伸縮目地の内側に設置されて、目地カバー材を伸縮目地内で水平に支持する目地装置のカバー材支持機構（以下、「支持機構」ともいう。）であって、
伸縮目地内に臨ませた先端部同士が鉛直軸周りに回転自在に接続されていて、後端部が前記一側の構造物に鉛直軸周りに回転自在に取り付けられた第１のブラケットと、後端部が前記一側の構造物に、鉛直軸周りに回転自在に且つ伸縮目地の長さ方向に沿ってスライド変位自在に取り付けられた第２のブラケットと、前記先端部を頂点として略Ｖ字形に組まれた両ブラケット間に取り付けられた弾性部材とを備えて、平常時は前記両ブラケットの先端部が前記伸縮目地内にせり出した位置に保持されるように設けられ、
一側の側辺部を前記一側の構造物に接続した目地カバー材を、前記第１、第２のブラケット上で支持するように構成されていることを特徴とする。
【００１９】
これによれば、目地装置は一側の構造物の伸縮目地に面した壁面に設置され、前記支持機構で支持された目地カバー材上に、伸縮目地を覆う床カバー材が設置される。
地震の際に床カバー材の幅よりも伸縮目地の幅が広がったときは、床カバー材が目地カバー材上をスライド変位するのに伴って目地カバー材が露出することで変位を吸収して、伸縮目地内に床面の欠損ができることを防止する。
一方、地震の際に伸縮目地の幅が狭まったときは、床カバー材がスライド変位して、その先端部が、目地装置が設置された側の構造物の床面上に乗り上げて同方向の変位を吸収する。
さらに伸縮目地の幅が狭まって床カバー材が取り付けられた側の構造物の壁面が第１及び第２のブラケットの先端交差部に当接して伸縮目地の幅を狭める方向への力が加わると、第１のブラケットが、その後端部を支点として倒れ、これと同時に第２のブラケットが、その後端部を伸縮目地の長さ方向に沿ってスライド変位させて倒れて、第１及び第２のブラケットの両後端部の配置間隔が広がることで、第１及び第２のブラケットの交差した先端部がその交差角度を広げながら、伸縮目地の幅を狭める方向へ変位し、これに伴い目地カバー材の伸縮目地側に突出した側の部分が、前記第１、第２のブラケットの先端部を乗り越えて下方へ垂れ下がり、装置全体が伸縮目地内で確実且つスムーズに扁平に折り畳まれることで、構造物間の変位を吸収することができる。
また、第１及び第２のブラケットの後端部間の配置間隔が広がって装置全体が伸縮目地内で扁平に折り畳まれた状態から、伸縮目地がその幅を広げる方向に変位したときは、弾性部材の弾性力によって第１及び第２のブラケットが、その後端部間が広がる方向に変位せしめられて当初の取り付け位置に復元させることができる。
【００２０】
目地カバー材を支持する支持機構は、構造物の壁面から伸縮目地内に突出した第１及び第２のブラケットの先端部同士が交差して接続した平面視略Ｖ字形に組んだブラケット構造であるので、目地カバー材の荷重や伸縮目地が狭まったときに、変位する構造物が当接することにより作用する応力が第１及び第２のブラケットとそれぞれの後端部の構造物との接続部に分散してかかり、各構成部材に負担が分散されることで可動にともなう変形や破損を来しにくく、各構成部材を必要以上に高剛性に設けることなく、装置全体をコンパクトな構成とすることができる。
【００２１】
また、支持機構は、先端部同士を頂点として平面視略Ｖ字形に組まれた第１及び第２のブラケット間に弾性部材を架設し、第１及び第２のブラケットが、その後端部間が広がる方向に変位せしめられたときに弾性部材が両ブラケット間で伸長し、前記両ブラケットを変位させる外力がなくなったときに、弾性部材の弾性力によって両ブラケットを当初の取り付け位置に復元させるように設けてある。
弾性部材として引張バネを用いた場合、両ブラケットが略Ｖ字形に組まれた当初の取り付け位置から、両ブラケットの後端部間が開いて略直線に扁平状に変形する位置に至るバネの伸び率を１．３倍以上に設定することが可能である。すなわち、当初の取り付け位置で引張バネにある程度の引っ張り強度を付与しておくことは不要であり、バネ径が小さく適宜な引っ張り強度を有する引張バネを用いて、両ブラケット間に簡単な作業で取り付けることが可能である。前記装置全体をコンパクトに構成できることと相俟って、汎用の引張バネを用い、これを手間をかけずに取り付けて装置を組み立てることができるので、施工に要するコストを低廉に抑えることが可能である。
なお、弾性部材は、引張バネに代えて、板バネやトーションバーなどの他の形態のバネ装置、或いは動力シリンダーなどの適宜なアクチュエータ装置を用いてもよい。
【００２２】
前記の構成の支持機構において、第１、第２のブラケットが扁平状に折り畳まれる過程で、目地カバー材が両ブラケットの先端部を乗り越えて垂れ下がるが、この際に両ブラケットの先端部に目地カバー材の下面が摺動したときに生ずる衝撃を緩和するための緩衝部材を、第１、第２のブラケットの先端部同士の接続部の上部側端に設置することが好ましい。緩衝部材としては、水平軸周りに回転する回転部材を用いることができる。
【００２３】
また、前記構成の支持機構において、支持機構の剛性確保のため、第１及び第２のブラケットは、上下平行に並べられた横桟間に縦桟を配置して形成された枠体であることが好ましく、横桟と縦桟が中空材であることがより好ましい。
支持機構がフレーム構造であれば、機構の表面が開放空間となり、施工性が向上して構造物の壁面に取り付けた装置の納まりがコンパクトになる。また、折り畳まれる方向に可動したときに、部材の逃げ空間が確保されて部材同士が干渉するようなことはなく、ブラケットをスムーズに作動させることができる。
【００２４】
また、本発明の目地装置は、前記構成の目地カバー材と支持機構を組み合わせて構成することができる。
【図面の簡単な説明】
【００２５】
【図１】本発明の一実施形態の床用目地装置を内部に設置し、上部開口を床カバー材で覆った伸縮目地部の概略断面図である。
【図２】図１において床カバー材を取り外した状態の概略平面図である。
【図３】図２において目地カバー材を取り外した状態における支持機構の概略平面図である。
【図４】図３の支持機構の先端部の上側を拡大した部材配置図である。
【図５】図３の支持機構の先端部の下側を拡大した部材配置図である。
【図６】目地カバー材の端部側の要部拡大図である。
【図７】（Ａ），（Ｂ）及び（Ｃ）は目地カバー材を支持機構上で支持する状態と、支持機構のブラケットの変位に連動して目地カバー材が変形する状態を示した図である。
【図８】図１の状態から伸縮目地が幅を広げた状態を示した図である。
【図９】図８において床カバー材を取り外した状態の概略平面図である。
【図１０】図１の状態から伸縮目地が幅を狭めた状態を示した図である。
【図１１】図１０において床カバー材と伸縮目地を取り外した状態の概略平面図である。
【図１２】目地カバー材の他の形態の概略外観図である。
【図１３】同じく目地カバー材の他の形態の概略外観図である。
【図１４】従来の目地装置の片持ち式ブラケットの構造を説明するための図である。
【発明を実施するための形態】
【００２６】
本発明の好適な一実施形態を図面に基づいて説明する。なお、本発明の技術的思想は、以下に説明する実施形態に限定されるものではない。
【００２７】
図１は本発明の一実施形態の目地装置を示しており、これは、構造物Ａと、この構造物Ａに隣接した構造物Ｂとの間に設けられた伸縮目地Ｇの内部に設置されており、構造物Ａから構造物Ｂに架け渡された床カバー材Ｃの下側に目地カバー材１７を配置して、伸縮目地Ｇの幅が広がったときでも伸縮目地Ｇ内に欠損ができることを防止して、構造物Ａ，Ｂ間を歩いて行き来する歩行者の安全が確保されるようにしたものである。
【００２８】
構造物Ａは、地盤上に免震装置を設け、この免震装置上に基礎が設置されてなる免震建物であり、伸縮目地Ｇは構造物Ａの外周に沿って設けてある。
伸縮目地Ｇは、地震発生時に構造物Ａの揺れに追従して、その幅を広げたり狭めたりするようになっている。
構造物Ｂは、伸縮目地Ｇを挟んで構造物Ａと対向する位置に設けられており、その地面や床面（以下、「床面」と総称する。）Ｂ１は、構造物Ａの床面Ａ１と水平となるように設けてある。
【００２９】
床カバー材Ｃは、平常時における伸縮目地Ｇの幅よりも若干大きな幅に形成された板材であり、その一側の端部Ｃ１が、構造物Ａの床面Ａ１上であって伸縮目地Ｇ側の端部に設けられた接続部Ａ２に若干の高さだけ上方へ変位可能に接続し、他側の端部Ｃ２が、構造物Ｂの床面Ｂ１上であって伸縮目地Ｇ側の端部に設けられた凹状の乗り代Ｂ２に載せられて伸縮目地Ｇの上部に覆い被せてあり、地震発生時に構造物Ａの揺れに追従して伸縮目地Ｇの幅が広がったときは前記他端部Ｃ２が乗り代Ｂ２上を構造物Ｂから離れる方向へスライドし、伸縮目地Ｇの幅が狭まったときには前記他端部Ｃ２がスライドして乗り代Ｂ１から床面Ｂ２上に乗り上げるように設置してある。床カバー材Ｃは、伸縮目地Ｇの長さ方向に沿って隙間なく複数並設して、伸縮目地Ｇの上部全体を覆っている。
【００３０】
目地装置１は、伸縮目地Ｇに面した構造物Ｂの壁面Ｂ３に設置された支持機構２と、この支持機構２より伸縮目地Ｇ内で水平に支持される目地カバー材１７により構成してある。目地装置１は、床カバー材Ｃと同様に伸縮目地Ｇの長さ方向に沿って複数並設してある。
【００３１】
支持機構２は、図３に示されるように、伸縮目地Ｇの長さ方向に沿って構造物Ｂの壁面Ｂ３に水平に取り付けられた取り付けフレーム３に、先端部同士が回転自在に接続された一対のブラケット４，５の後端部をそれぞれ取り付けて構成してある。
【００３２】
詳しくは、ブラケット４，５は、ともに角パイプからなる横桟６，６を上下平行に並べ、その間に同じく角パイプからなる縦桟７，７を配置して一体に接続した枠体であり、ブラケット４の横桟６，６間にブラケット５の横桟６，６を挿入して先端部同士を上下に重ねて組み付けてある。また、両ブラケット４，５の横桟６，６のうち、ブラケット４の下側の横桟６，６を他のものよりも若干長く設けてある。
【００３３】
両ブラケット４，５は、その先端部側が、互いに上下に重なって交差し、且つ重なった先端部分に鉛直方向に沿った軸棒８を通して回転自在に接続してあり、その後端部側は、ブラケット４の後端部が前記取り付けフレーム３に設けられた、鉛直軸周りに回転する軸部である固定軸部９に接続し、ブラケット５の後端部が取り付けフレーム３に設けられたガイドレール３ａに沿ってスライド移動する、同じく鉛直軸周りに回転する軸部である移動軸部１０に接続して取り付けてある。
【００３４】
両ブラケット４，５は、その先端部同士の節点と、その後端部側の取り付けフレーム３との節点にそれぞれ鉛直軸周りの軸部を配置し、且つ取り付けフレーム３との一方の節点である移動軸部１０をガイドレール３ａに沿ってスライド移動自在に配置して、これら各節点で各軸周りに折れ曲がるように取り付けられており、移動軸部１０のガイドレール３ａ上の可動範囲内で当該移動軸部１０を、両ブラケット４，５の後端部間の距離がもっとも狭くなるように配置した状態で、両ブラケット４，５は伸縮目地Ｇ内で、取り付けフレーム３に対して平面視略Ｖ字形に組まれて交差した先端部がもっとも構造物Ａの壁面Ａ３側にせり出した形状となり、この位置から、両ブラケット４，５の後端部間の距離が広がるように移動軸部１０がガイドレール３ａに沿ってスライドすると、前記交差した先端部が構造物Ｂの壁面Ｂ３側へ変位して伸縮目地Ｇ内の壁面３ｃからの先端部の突出幅が狭くなる形状に変形し、両ブラケット４，５の後端部間の距離がもっとも広がるように移動軸部１０がガイドレール３ａに沿ってスライドした位置では、両ブラケット４，５が壁面Ｂ３と略平行となる位置まで展開して扁平に変形するように組み付けてある（後述の図１１参照）。
【００３５】
前記のように変形可能に取り付けられた両ブラケット３，４は、ブラケット４の縦桟７とブラケット５の縦桟７の間に弾性部材である引張バネ１１が上下三段に配置して架け渡され、この引張バネ１１の弾性力により、平常時は構造物Ｂの壁面Ｂ３に対して平面視略Ｖ字形に屈曲して折れ、両ブラケット４，５の先端部が伸縮目地Ｇ内にせり出した位置に保持されるように設けてある。
そして、後述のように、地震の発生により伸縮目地Ｇの幅が狭まり、両ブラケット４，５の先端部に当たる構造物Ａの壁面Ａ３から、引張バネ１１の弾性力よりも大きな構造物Ｂに近づく方向の力が加わると、両ブラケット４，５はその後端部間が展開するように変形し、また、一旦狭まった伸縮目地Ｇが元の幅に戻ると伸長していた引張バネ１１の復元力により、両ブラケット４，５は先端部を伸縮目地Ｇ内にせり出して略Ｖ字形に屈曲して折れた形に復元するように構成してある。
【００３６】
図４に示されるように、ブラケット４の上側の横桟６の先端部には、目地カバー材１７が当接したときの衝撃を緩衝する緩衝部材である回転部材１２を、当該横桟６の先端に設けた水平な回転軸１３に回転自在に取り付けてある。
また、図５に示されるように、ブラケット４の下側の横桟６の先端には、支持材１４を側方に張り出させてあり、この支持材１４に設けた鉛直方向に沿った回転軸に回転部材１６を回転自在に取り付けてある。回転部材１２と回転部材１６は円筒状の回転物であり、ゴム製やプラスチック製、又は金属製のキャスター（車輪）を用いることができる。
【００３７】
目地カバー材１７は、並列した複数の棒状部材を線状部材で一体に接続して平面視矩形の板状に形成してある。
詳しくは、図６に示されるように、目地カバー材１７は、複数の鋼製管材１８を、それよりも小径の円筒状のスペーサ１９を挟んで並列させ、その並列した管材１８及びスペーサ１９の幅方向（径方向）に沿ってワイヤーやロッドなどの可撓性を有する線状部材２０を内部に貫通させ、並列した管材１８の両側端の管材１８において、その内周面で貫通させた線状部材２０を留め付けることにより、複数の管材１８を簾状或いは筏状に一体に連結して構成してある。円筒状のスペーサ１９は管材１８と略同じ径のものを用いてもよく、スペーサ１９に代えて、球状やリング状などの適宜な形状のスペーサを用いてもよい。
管材１８及びスペーサ１９を貫通する線状部材２０の留め付けは、隣接した管材１８とスペーサ１９の外周面間に数ミリ程の隙間ができるように、ある程度の遊びを与えたものとなっており、スペーサ１９との隙間があることで隣接する管材１８，１８同士はスペーサ１９を支点として互いに折り曲げ可能であり、平面視矩形状を呈する目地カバー材１７全体では、その一方の長手辺側から他方の長手辺側に亘って巻き畳めることができるようになっている。
【００３８】
目地カバー材１７は、図２に示されるように、構造物Ｂの壁面Ｂ３からブラケット４，５を略Ｖ字形に突出させた支持機構２の上部を略覆う大きさに形成されており、管材１８及びスペーサ１９を貫通させた線状部材２０の端部を取り付けフレーム３の上端に連結して、壁面Ｂ３側に一方の側端部を片持ち式に接続して取り付けられ、且つその底面を支持機構２のブラケット４の上面に載せて伸縮目地Ｇ内に水平に支持させてある。
【００３９】
そして、図７に示されるように、ブラケット４，５が伸縮目地Ｇ内で視略Ｖ字形に組まれて交差した先端部を構造物Ａの壁面Ａ３側にせり出した位置から（同図（Ａ））、両ブラケット４，５の後端部間の距離が広がって前記交差した先端部が構造物Ｂの壁面Ｂ３側へ変位すると、目地カバー材１７の他方の側端部の側がブラケット４，５の先端部を超えて垂れ下がり（同図（Ｂ））、両ブラケット４，５が扁平に変形した状態では、目地カバー１７の略全体が垂れ下がって両ブラケット４，５の外側に平行に重なるようになっている（同図（Ｃ））。
また、同図（Ａ）に示されているように、ブラケット４，５で目地カバー材１７を水平に支持させた状態で、両ブラケット４，５の先端部側に位置する目地カバー材１７の長手辺側を捲り上げながら取り付けフレーム３側に巻き畳み、巻き畳んだ状態で仮止めしておくことで、支持機構２の上部を開放状態として、目地装置１の保守点検を行えるようになっている。
【００４０】
このように構成された本形態の目地装置１によれば、平常時においては、図１及び図２に示されるように、支持機構２のブラケット４，５の先端部が伸縮目地Ｇ内にせり出した位置に保持され、目地カバー材１７はブラケット４の上面に載って水平に支持される。目地カバー材１７の上部には床カバー材Ｃが重なり、目地カバー材１７が露出することはない。
【００４１】
地震の際に床カバー材Ｃの幅よりも伸縮目地Ｇの幅が広がったときは、図８及び図９に示されるように、床カバー材Ｃが目地カバー材１７の上方でスライド変位するのに伴って、支持機構２で下面が支持された目地カバー材１７が伸縮目地Ｇ上に露出することで変位を吸収し、伸縮目地Ｇ内に床面の欠損ができることを防止する。
【００４２】
一方、地震の際に伸縮目地Ｇの幅が狭まったときには、床バー材Ｃが目地カバー材２上をスライド変位し、その先端部Ｃ２が構造物Ｂの乗り代Ｂ２から床面Ｂ１上に乗り上げて同方向の変位を吸収する。
さらに伸縮目地Ｇの幅が狭まって構造物Ａの壁面Ａ３がブラケット４の先端部下側に設置された回転部材１６に当接して、壁面Ａ３から構造物Ｂ方向への力が加わると、図１０及び図１１に示されるように、壁面Ａ３に沿って回転部材１６が滑動するのに伴ってブラケット４，５がその後端部間の距離を広げる向きに変位して構造物Ｂの壁面Ｂ３側に折り畳まれ、これに伴い目地カバー材１７の一側がブラケット４，５の先端部を乗り越えて垂れ下がり、伸縮目地Ｇ内の変位を吸収する。
【００４３】
目地カバー材１７がブラケット４，５の先端部を乗り越える際、目地カバー材１７の下面が回転部材１２の周面に接するため、大きな衝撃や摩擦を生ずることなく、目地カバー材１７は滑らかに摺動して垂れ下がる。垂れ下がった目地カバー材１７は、壁面Ａ３に当接した回転部材１６の上方にできる、壁面Ａ３とブラケット４，５の先端部との空間に入り込む。
【００４４】
また、図１０に示された状態から、伸縮目地Ｇの幅が広がると、ブラケット４，５は引張バネ１１の弾性力により、元の略Ｖ字形状に復元し、これに伴い目地カバー材１７がブラケット４の上面に引き戻されて伸縮目地Ｇ内で水平に支持されるようになっている。
【００４５】
図１２と図１３は、目地カバー材の他の形態を示している。
図１２の目地カバー材２０は、合成樹脂材を用いて一体成形されたカバー材であり、その長さ方向に延びた凹部２０ａと凸部２０ｂを幅方向に交互に配置して巻き畳めるように形成したものである。
また、図１３の目地カバー材２１は、同じく合成樹脂製のカバー材であり、幅方向の断面が波形となるように形成して、全体を巻き畳めるようにするとともに、床材としての剛性を確保したものである。
【００４６】
なお、図示した目地装置１や支持機構２、目地カバー材１７、その構成部材の形態は、本発明の実施形態の一例を示すものであり、本発明はこれに限定されず、他の適宜な形態で構成することが可能である。
【符号の説明】
【００４７】
１  目地装置、２  支持機構、３  取り付けフレーム、４，５  ブラケット、６  横桟、７  縦桟、８  軸棒、９  固定軸部、１０  移動軸部、１１  引張バネ、１２  回転部材、１６  回転部材、１７  目地カバー材、１８  管材、１９  スペーサ、２０  線状部材、２１，２２  目地カバー材、Ａ，Ｂ  構造物、Ｃ  床カバー材、Ｇ  伸縮目地
【図１】
0006879583.tif 000002
【図２】
0006879583.tif 000003
【図３】
0006879583.tif 000004
【図４】
0006879583.tif 000005
【図５】
0006879583.tif 000006
【図６】
0006879583.tif 000007
【図７】
0006879583.tif 000008
【図８】
0006879583.tif 000009
【図９】
0006879583.tif 000010
【図１０】
0006879583.tif 000011
【図１１】
0006879583.tif 000012
【図１２】
0006879583.tif 000013
【図１３】
0006879583.tif 000014
【図１４】
0006879583.tif 000015